(57)【要約】【課題】指先を折り曲げても、使い捨てカイロが指先に追従できるので、折り曲げた指先をも快適に温めることができるようにする。【解決手段】提供されるカイロホルダー６は、使い捨てカイロ７を、手袋８を介して間接的に、手９の甲９ａにあてがった状態で、保持するための布地、ゴム、合成樹脂等からなる一対の紐状部材（第１の保持部材）１０、１０と、使い捨てカイロ７の部分のうち、指先９ｂまであてがわれた先端部分７ａが、指先９ｂの動きに追従可能な態様で、使い捨てカイロ７を保持するための布地、ゴム、合成樹脂等からなる帯状部材（第２の保持部材）１１と、紐状部材（第１の保持部材）１０、１０の保持（締め）具合を調整するための留め具１２、１２とから構成されている。【選択図】図３
2010253082.tif 000002
【特許請求の範囲】
【請求項１】
使い捨てカイロを、直接、あるいは、手袋又は布地を介して間接的に、手の甲にあてがった状態で、保持するための第１の保持部材と、
前記カイロの部分のうち、指先まであてがわれた先端部分が、前記指先の動きに追従可能な態様で、当該カイロを保持するための第２の保持部材とからなることを特徴とする使い捨てカイロを装着するためのカイロホルダー。
【請求項２】
前記第１及び第２の保持部材は、少なくとも１つの伸縮性又は非伸縮性の紐状、バンド状部材又は帯状部材からなると共に、
前記第１の保持部材と、前記第２の部材とが、互いに直交配置されていることを特徴とする請求項１記載の使い捨てカイロを装着するためのカイロホルダー。
【請求項３】
使い捨てカイロを、直接、あるいは、手袋又は布地を介して間接的に、手の甲にあてがった状態で保持するための、紐状、バンド状又は帯状の第１の保持部材と、
前記カイロの部分のうち、指先まであてがわれた先端部分が、前記指先の動きに追従可能な態様で、当該カイロを保持するための、紐状、バンド状又は帯状の第２の保持部材とからなる使い捨てカイロを装着するためのカイロホルダーであって、
前記第２の保持部材が、直接、あるいは、手袋や布地を介して間接的に、手の甲に載せられた使い捨てカイロの上から指先を跨いで手のひらまでの部位に亘り延伸された状態で、前記第２の保持部材の両端部又はその近傍に取着された一対の前記第１の保持部材が、前記使い捨てカイロと手とに巻かれることで、あるいは、前記使い捨てカイロと手とに巻かれて結び付けられることで、前記使い捨てカイロが、直接又は間接的に、手の甲に保持される構成となっていることを特徴とする使い捨てカイロを装着するためのカイロホルダー。
【請求項４】
前記第２の保持部材が、直接、あるいは、手袋や布地を介して間接的に、手の甲に載せられた使い捨てカイロの上から少なくとも中指を跨いで手のひらまでの部位に亘り延伸された状態で、前記第２の保持部材の両端部又はその近傍に取着された一対の前記第１の保持部材が、前記使い捨てカイロと手とに巻かれることで、あるいは、使い捨てカイロと手とに巻かれて結び付けられることで、前記使い捨てカイロが、直接又は間接的に、手の甲に保持されることを特徴とする請求項３記載の使い捨てカイロを装着するためのカイロホルダー。
【請求項５】
前記第２の保持部材は、中指の大きさよりも広幅の帯状部材からなることを特徴とする請求項３又は４記載の使い捨てカイロを装着するためのカイロホルダー。
【請求項６】
請求項１乃至５の何れか１に記載のカイロホルダーが手袋本体に取着されていることを特徴とするカイロホルダー付き手袋。
【請求項７】
前記第１の保持部材が前記手袋本体に縫い付けられて一体化されていることを特徴とする請求項６記載のカイロホルダー付き手袋。
【請求項８】
前記第１の保持部材が着脱自在に前記手袋本体に取着されていることを特徴とする請求項６記載のカイロホルダー付き手袋。
【発明の詳細な説明】
【技術分野】
【０００１】
この発明は、使い捨てカイロを手袋等に装着するために用いて好適なカイロホルダーに関する。
【背景技術】
【０００２】
従来は、使い捨てカイロを手袋の内側に付けたり、手の甲に使い捨てカイロを貼るか、あるいは、カバー付きのベースを提供するものがあったが、指までの防寒に配慮したものはなかった。
【０００３】
一方、図７に示すように、特許文献１には、スポーツ手袋１の上から、手２の甲に、使い捨てカイロ３をあてがうために、ベルベットファスナーバンド４付きの使い捨てカイロ入れポケット５が提供されている。
【０００４】
この使い捨てカイロ入れポケット５は、同図に示すように、手の甲に較べても小さいので、指先はおろか指の付根を暖めることさえできない。
【０００５】
そこで、使い捨てカイロ入れポケット５が指先にまであてがわれるように、図８に示すように、大面積大容量の使い捨てカイロ入れポケット６を用いるなら、指先まで温めることはできるとも考えられる。
【先行技術文献】
【特許文献】
【０００６】
【特許文献１】実開平０４−５８２２７号公報
【発明の概要】
【発明が解決しようとする課題】
【０００７】
しかしながら、実際に試してみると、次のような不具合が確認された。すなわち、図９に示すように、指を折り曲げてみると、使い捨てカイロ入れポケット６は、指の動的姿態に追従できず、指先から離れてしまう、という問題があった。これでは、使い捨てカイロ入れポケット６を手袋に装着した状態で、寒冷の地域でバイクのハンドルを握って走行しても、指先はかじかむばかりであり、また、スティックを付きながら冬山に挑んでも、指先は少しも暖められないので、長時間、寒さをこらえなければならいので、不快である。
【０００８】
この発明は、上述の事情に鑑みてなされたもので、寒冷な屋内外での活動中に、指先を折り曲げても、使い捨てカイロが指先に追従して、折り曲げた指先をも快適に温めることができる、使い捨てカイロを装着するためのカイロホルダーを提供することを目的としている。
【課題を解決するための手段】
【０００９】
上記課題を解決するために、請求項１記載の発明は、使い捨てカイロを装着するためのカイロホルダーに係り、使い捨てカイロを、直接、あるいは、手袋又は布地を介して間接的に、手の甲にあてがった状態で、保持するための第１の保持部材と、前記カイロの部分のうち、指先まであてがわれた先端部分が、前記指先の動きに追従可能な態様で、当該カイロを保持するための第２の保持部材とからなることを特徴としている。
【００１０】
また、請求項２記載の発明は、請求項１記載の使い捨てカイロを装着するためのカイロホルダーに係り、前記第２の保持部材は、少なくとも１つの伸縮性又は非伸縮性の帯状部材からなると共に、前記第１の保持部材は、少なくとも１つの伸縮性又は非伸縮性の紐状又はバンド状部材からなり、かつ、前記第１の保持部材と、前記第２の部材とが、互いに直交配置されていることを特徴としている。
【００１１】
また、請求項３記載の発明は、使い捨てカイロを、直接、あるいは、手袋又は布地を介して間接的に、手の甲にあてがった状態で保持するための、紐状又はバンド状の第１の保持部材と、前記カイロの部分のうち、指先まであてがわれた先端部分が、前記指先の動きに追従可能な態様で、当該カイロを保持するための、帯状の第２の保持部材とからなる使い捨てカイロを装着するためのカイロホルダーに係り、前記第２の保持部材が、直接、あるいは、手袋や布地を介して間接的に、手の甲に載せられた使い捨てカイロの上から指先を跨いで手のひらまでの部位に亘り延伸された状態で、前記第２の保持部材の両端部又はその近傍に取着された一対の前記第１の保持部材が、前記使い捨てカイロと手とに巻かれることで、あるいは、前記使い捨てカイロと手とに巻かれて結び付けられることで、前記使い捨てカイロが、直接又は間接的に、手の甲に保持される構成となっていることを特徴としている。
【００１２】
また、請求項４記載の発明は、請求項３記載の使い捨てカイロを装着するためのカイロホルダーに係り、前記第２の保持部材が、直接、あるいは、手袋や布地を介して間接的に、手の甲に載せられた使い捨てカイロの上から少なくとも中指を跨いで手のひらまでの部位に亘り延伸された状態で、前記第２の保持部材の両端部又はその近傍に取着された一対の前記第１の保持部材が、前記使い捨てカイロと手とに巻かれることで、あるいは、前記使い捨てカイロと手とに巻かれて結び付けられることで、前記使い捨てカイロが、直接又は間接的に、手の甲に保持されることを特徴としている。
【００１３】
また、請求項５記載の発明は、請求項３又は４記載の使い捨てカイロを装着するためのカイロホルダーに係り、前記第２の保持部材は、中指の大きさよりも広幅の帯状部材からなることを特徴としている。
【発明の効果】
【００１４】
この発明の構成によれば、寒冷な屋内外での活動中に、指先を折り曲げても、使い捨てカイロが指先に追従できるので、折り曲げた指先をも快適に温めることができる。
【図面の簡単な説明】
【００１５】
【図１】この発明の第１実施例であるカイロホルダーを手袋に装着した状態を示す図である。
【図２】同カイロホルダーの全体的構成を示す図である。
【図３】同カイロホルダーを手袋に装着した状態を示す断面図である。
【図４】同カイロホルダーの装着時の姿態・構成を示す斜視図である。
【図５】この発明の第２実施例であるカイロホルダーを手袋に装着した状態を示す図である。
【図６】この発明の第３実施例であるカイロホルダーを手袋に装着した状態を示す図である。
【図７】従来技術を説明するための図である。
【図８】従来技術を説明するための図である。
【図９】従来技術の不具合を説明するための図である。
【発明を実施するための形態】
【００１６】
この発明の最良の形態は、使い捨てカイロを、直接、あるいは、手袋又は布地を介して間接的に、手の甲にあてがった状態で保持するための、紐状又はバンド状の第１の保持部材と、前記カイロの部分のうち、指先まであてがわれた先端部分が、前記指先の動きに追従可能な態様で、当該カイロを保持するための、帯状の第２の保持部材とからなる。
【００１７】
前記第２の保持部材が、直接、あるいは、手袋や布地を介して間接的に、手の甲に載せられた使い捨てカイロの上から少なくとも中指を跨いで手のひらまでの部位に亘り延伸された状態で、前記第２の保持部材の両端部又はその近傍に取着された一対の前記第１の保持部材が、使い捨てカイロと手とに巻かれることで、あるいは、使い捨てカイロと手とに巻かれて結び付けられることで、使い捨てカイロが手袋又は布地を介して間接的に、あるいは、直接、手の甲に保持される構成となっている。
【実施例１】
【００１８】
図１は、この発明の第１実施例であるカイロホルダー（ハンドウオーミングホルダ）を手袋に装着した状態を示す図、図２は、同カイロホルダーの全体的構成を示す図、図３は、同カイロホルダーを手袋に装着した状態を示す断面図、また、図４は、同カイロホルダーの装着時の姿態・構成を示す斜視図である。
【００１９】
この例のカイロホルダー６は、ハンドウオーミングホルダとも称し、図１乃至図４に示すように、使い捨てカイロ７を、手袋８を介して間接的に、手９の甲９ａにあてがった状態で、保持するための布地、ゴム、合成樹脂等からなる一対の紐状部材（第１の保持部材）１０、１０と、使い捨てカイロ７の部分のうち、指先９ｂまであてがわれた先端部分７ａが、指先９ｂの動きに追従可能な態様で、使い捨てカイロ７を保持するための布地、ゴム、合成樹脂等からなる帯状部材（第２の保持部材）１１と、紐状部材（第１の保持部材）１０、１０の保持（締め）具合を調整するための留め具１２、１２とから概略構成されている。
【００２０】
ここで、帯状部材（第２の保持部材）１１を主幹バンドというなら、紐状部材（第１の保持部材）１０、１０を、支幹バンドということもできる。
【００２１】
帯状部材１１は、非伸縮性部材であると伸縮性部材であるとは問わないが、ある程度伸縮性を有するものの方が好ましい。帯状部材１１は、その長さに関しては、手９の甲９ａから少なくとも中指を含む指先９ｂを跨いで手９のひら９ｃまで延伸される程度の長さを有することが好ましく、また、その幅に関しては、中指の大きさよりも広幅であることが好ましい。
【００２２】
上記紐状部材１０、１０については、その断面形状は特定形状のものに限定されないが、例えば、断面円形のものが好ましく、また、非伸縮性部材であると伸縮性部材（バンド部材）であるとは問わないが、ある程度伸縮性を有するものの方が好ましい。
【００２３】
上記帯状部材１１の両端部又はその近傍には、図２に示すように、挿通孔１１ａ、１１ａが縫設されていて、これらの挿通孔１１ａ、１１ａに、紐状部材１０、１０が挿通されることで、帯状部材１１と紐状部材１０、１０とが結合して協働関係を有する構成となっている。また、紐状部材１０、１０は、留め具１２、１２にも挿通される構成となっている。
【００２４】
次に、図１乃至図４を参照して、上記構成のカイロホルダー６の動作について説明する。
帯状部材１１を、手袋８を介して間接的に、手９の甲９ａに載せられた使い捨てカイロ７の上から少なくとも中指９ｂを跨いで手９のひら９ｃまでの部位に亘り、なるべく緊張状態に、あてがった状態で、帯状部材１１の両端部又はその近傍の挿通孔１１ａ、１１ａに通された紐状部材１０、１０で、使い捨てカイロ７を手９（手袋８）に巻着する。巻着に際しては、留め具１２、１２を用いて、紐状部材１０、１０の締め具合を調整する。
【００２５】
なお、予め、空の手袋８にカイロホルダー６を、図１及び図４の状態に緩く装着しておき、この後、手袋８を手９に嵌めて、さらに、留め具１２、１２を用いて、紐状部材１０、１０で使い捨てカイロ７を手９（手袋８）に締め付けてゆき、装着を完結させることもできる。
【００２６】
この例の構成によれば、寒冷な屋内外での活動中に、指先を折り曲げても、図３に示すように、使い捨てカイロ７が指先に追従して、手袋の指先側部位と密着状態を保つので、折り曲げた指先をも快適に温めることができる。
【実施例２】
【００２７】
図５は、この発明の第２実施例であるカイロホルダーを手袋に装着した状態を示す図である。
第１実施例では、一対の紐状部材（第１の保持部材）１０、１０を用いる場合について述べたが、これに限らず、図５に示すように、３本の紐状部材（第１の保持部材）１０、１０を用いるようにしても良い。また、挿通孔１１ａを複数設けるようにして、適宜使い分けるようにしても良い。
【実施例３】
【００２８】
図６は、この発明の第３実施例であるカイロホルダーを手袋に装着した状態を示す図である。
第１実施例では、留め具１２、１２を用いる場合について述べたが、必要に応じて、これを省略して、各種紋様の紐結びとしても良い。
【００２９】
以上、この発明の実施例を図面を参照して詳述してきたが、具体的な構成はこの実施例に限られるものではなく、この発明の要旨を逸脱しない範囲の設計の変更等があってもこの発明に含まれる。
【００３０】
例えば、上述の実施例では、手袋の上に使い捨てカイロを載置する場合について述べたが、これに限らず。低温やけどの虞のない使い捨てカイロを用いる場合には、手に、直接載置しても良く、あるいは、手袋に代えて、ハンカチ等の布地を介して手に載置するようにしても良い。
【００３１】
また、上述の実施例では、第２の保持部材として、長尺部材を用いる場合について述べたが、指先の動きに追従可能な態様である限り、長尺部材に限定されない。留め具は、ベルベットファスナーでも良い。
また、カイロホルダーは、手袋と一体化されてカイロホルダー付き手袋として構成されても良い。この場合、例えば、前記第１の保持部材を手袋に縫い付けても良い。あるいは、前記第１の保持部材が、例えば、マジックテープ（登録商標）等で、着脱自在に手袋に取着されるようにしても良い。
【００３２】
この発明は、例えば、手の甲にはあてがわずに、指先だけにあてがわれる使い捨てカイロにも適用できる。
【符号の説明】
【００３３】
６    カイロホルダー
７    使い捨てカイロ
８    手袋
１０  紐状部材（第１の保持部材）
１１  帯状部材（第２の保持部材）
１２  留め具
【図１】
2010253082.tif 000003
【図２】
2010253082.tif 000004
【図３】
2010253082.tif 000005
【図４】
2010253082.tif 000006
【図５】
2010253082.tif 000007
【図６】
2010253082.tif 000008
【図７】
2010253082.tif 000009
【図８】
2010253082.tif 000010
【図９】
2010253082.tif 000011